(57)【要約】      （修正有）【課題】イナーシャブロックあるいはトレモロ・ブリッジプレートと、アームと、ポテンショメータおよび／またはスイッチと、一本以上のワイヤと、を有するエレキギターのトレモロ装置を提供する。【解決手段】イナーシャブロックあるいはトレモロ・ブリッジプレートは、ギターに取り付けられる。貫通孔がイナーシャブロックあるいはトレモロ・ブリッジプレートを貫通している。アーム１０は、アームの近端部でイナーシャブロックあるいはトレモロ・ブリッジプレートに取り付けられる。ポテンショメータ１５および／またはスイッチは、アームの遠端部１０ｃに配置されてギターおよび／または関連するアンプの電気的機能を制御する。一本以上のワイヤ１７は、ポテンショメータ１５および／またはスイッチからアーム１０を通って延びるとともに、イナーシャブロックあるいはトレモロ・ブリッジプレートの貫通孔を貫通してギター内の回路に接続される。【選択図】図２
0003164638.tif 000002
【実用新案登録請求の範囲】
【請求項１】
エレキギターのトレモロ装置であって、
（ａ）前記ギターに取り付けられるイナーシャブロックあるいはトレモロ・ブリッジプレートであって、イナーシャブロックあるいはトレモロ・ブリッジプレートを貫通する貫通孔を有するイナーシャブロックあるいはトレモロ・ブリッジプレートと、
（ｂ）アームであって、その近端部で前記イナーシャブロックあるいはトレモロ・ブリッジプレートに取り付けられるアームと、
（ｃ）前記アームの遠端部に配置されて前記ギターおよび／または関連するアンプの電気的機能を制御するポテンショメータおよび／またはスイッチと、
（ｄ）前記ポテンショメータおよび／またはスイッチから前記アームを通って延びるとともに、前記イナーシャブロックあるいはトレモロ・ブリッジプレートの貫通孔を貫通して前記ギター内の回路に接続される一本以上のワイヤと、
を備えるトレモロ装置。
【請求項２】
請求項１に記載のトレモロ装置であって、前記アームの遠端部に取り付けられるケースであって、前記ポテンショメータおよび／またはスイッチが装着されるケースをさらに備えるトレモロ装置。
【請求項３】
請求項２に記載のトレモロ装置であって、前記ポテンショメータおよび／またはスイッチは、シャフトを有する少なくとも一つのポテンショメータを備えており、そして該シャフトに固定されるノブをさらに備えており、該ノブは、前記ケースの周囲に少なくとも部分的に延びるシュラウドを備えているトレモロ装置。
【請求項４】
請求項１に記載のトレモロ装置がエレキギターに取り付けられているシステム。
【請求項５】
請求項４に記載のシステムであって、前記ワイヤが電気的に接続される回路を有するアンプを備えるシステム。
【請求項６】
エレキギターのトレモロアッセンブリであって、
（ａ）前記ギターのトレモロ・ブリッジプレートに連結されるイナーシャブロックと、
（ｂ）前記イナーシャブロックに連結されている近端部を有するアームと、
（ｃ）前記アームの遠端部に装着されるとともに、ギター内の回路に電気的に接続されて該回路の電気的な機能を制御するポテンショメータと、
を備えるトレモロアッセンブリであり、
（ｄ）前記アームは、ギターの面に向かって移動されたときギターストリングとほぼ平行かつ隣接して配置される直線状中央部を備えており、
（ｅ）これにより、演奏者はギターストリングを弾く手を用いてポテンショメータのノブを操作し電子音響効果を生み出すことができ、かつ、ギターストリングおよびトレモロアームから離れるよう手を動かすことなくトレモロアームを制御するトレモロアッセンブリ。
【請求項７】
請求項６に記載のトレモロアッセンブリであって、前記アームは、中空チューブの形状であり、そして一本以上のワイヤが前記ポテンショメータから延びて該中空チューブを通っているトレモロアッセンブリ。
【請求項８】
請求項６に記載のトレモロアッセンブリであって、前記アームの遠端部に取り付けられるケースであって、ポテンショメータが装着されているケースをさらに備えるトレモロアッセンブリ。
【請求項９】
請求項８に記載のトレモロアッセンブリであって、さらに、前記ポテンショメータのシャフトに固定されるノブであって、前記ケースの周囲に少なくとも部分的に延びるシュラウドを備えているノブを備えるトレモロアッセンブリ。
【請求項１０】
請求項８に記載のトレモロアッセンブリであって、前記ケースにはスイッチが配置されるトレモロアッセンブリ。
【請求項１１】
請求項６に記載のトレモロアッセンブリであって、前記ポテンショメータにはスイッチが組み込まれているトレモロアッセンブリ。
【請求項１２】
請求項６に記載のトレモロアッセンブリであって、前記アームの近端部は、直線状であり、前記イナーシャブロックに形成された延設貫通孔内に嵌合されており、そして、該延設貫通孔の中心軸は前記イナーシャブロックの中央面に対して鋭角で配置されているトレモロアッセンブリ。
【請求項１３】
請求項１２に記載のトレモロアッセンブリであって、前記鋭角は約１０度であるトレモロアッセンブリ。
【請求項１４】
請求項１２に記載のトレモロアッセンブリであって、拡張切り欠き部が延設貫通孔の内側端部に形成されているトレモロアッセンブリ。
【請求項１５】
請求項６に記載のトレモロアッセンブリであって、前記アームの近端部は、直線状であり、前記直線状中央部に対して直角に配置されているトレモロアッセンブリ。
【請求項１６】
請求項６に記載のトレモロアッセンブリであって、前記アームがレスト位置にあるとき、前記アームの直線状中央部はギターの面に対して約１０度の鋭角で配置されているトレモロアッセンブリ。
【請求項１７】
請求項６に記載のトレモロアッセンブリであって、前記アームの遠端部は、直線状であり、前記直線状中央部に対して上方へ約２０度の鋭角でギターから離れるよう曲がっており、横方向へ前記ストリングに向かって約１５度の鋭角で曲がっているトレモロアッセンブリ。
【請求項１８】
請求項６に記載のトレモロアッセンブリであって、さらに、前記回路に電気的に接続されたワイヤレス受信器と無線通信するために前記ポテンショメータに電気的に接続されるワイヤレス送信機およびバッテリーを備えるトレモロアッセンブリ。
【考案の詳細な説明】
【技術分野】
【０００１】
本考案は、主にトレモロ装置に関し、特に、エレキギターのブリッジあるいは末端に一般的に取り付けられているトレモロアーム（また「トレモロ・バー」あるいは「ワミー・バー」としても知られている）に関する。
【０００２】
また、本発明は、エレキギターのトレモロ装置を用いてトレモロ効果および電子音響効果を生じさせる方法に関する。
【背景技術】
【０００３】
トレモロアームによって、演奏者は演奏しながらストリングのテンションおよび長さを変えて、ピッチを変更しビブラート効果、ポルタメント効果あるいはピッチベント効果を生み出すことができる。
【考案の概要】
【考案が解決しようとする課題】
【０００４】
エレキギターとそのアンプは、またスイッチとポテンショメータとを有しボリュームやトーンを制御しているが、これらのスイッチとポテンショメータとはトレモロアームから離れて配置されており、トレモロアーム自体は通常便利なようにブリッジに隣接して配置されている。したがって、演奏の際にはスイッチおよびポテンショメータの操作は不便である。
【０００５】
上記の背景技術の説明はエレキギターのトレモロ装置の理解する助けるためのものであって、本願において開示するエレキギターのトレモロ装置に関係する従来技術を説明あるいは構成することを自認するものではなく、引用した引用文献は本願の実用新案請求の範囲の特許性に対する材料と見なすことを自認するものではない。
【課題を解決するための手段】
【０００６】
本願の第一面では、イナーシャブロックあるいはトレモロ・ブリッジプレートと、アームと、ポテンショメータおよび／またはスイッチと、一本以上のワイヤと、を有するエレキギターのトレモロ装置を提供する。イナーシャブロックあるいはトレモロ・ブリッジプレートは、ギターに取り付けられる。貫通孔がイナーシャブロックあるいはトレモロ・ブリッジプレートを貫通している。アームは、アームの近端部でイナーシャブロックあるいはトレモロ・ブリッジプレートに取り付けられる。ポテンショメータおよび／またはスイッチは、アームの遠端部に配置されてギターおよび／または関連するアンプの電気的機能を制御する。一本以上のワイヤは、ポテンショメータおよび／またはスイッチからアームを通って延びるとともに、イナーシャブロックあるいはトレモロ・ブリッジプレートの貫通孔を貫通してギター内の回路に接続される。
【０００７】
一の態様において、トレモロ装置は、さらに、アームの遠端部に取り付けられるケースであって、ポテンショメータおよび／またはスイッチが装着されるケースを有する。
【０００８】
一の態様において、ポテンショメータおよび／またはスイッチは、シャフトを有する少なくとも一つのポテンショメータを備えており、そしてさらにそのシャフトに固定されるノブを備えている。ノブは、ケースの周囲に少なくとも部分的に延びるシュラウドを備えている。
【０００９】
他の面において、上記トレモロ装置がエレキギターに取り付けられているシステムを提供する。上記システムは、前記ワイヤが電気的に接続される回路を有するアンプを備えることができる。
【００１０】
さらに他の面では、イナーシャブロックと、アームと、ポテンショメータと、を有するトレモロアッセンブリを提供する。イナーシャブロックは、ギターのトレモロ・ブリッジプレートに連結される。アームは、イナーシャブロックに連結されている近端部を有する。ポテンショメータは、アームの遠端部に装着されるとともに、ギター内の回路に電気的に接続されてその回路の電気的な機能を制御する。アームは、ギターの面に向かって移動されたときギターストリングとほぼ平行かつ隣接して配置される直線状中央部を備えている。演奏者は、ギターストリングを弾く手を用いてポテンショメータのノブを操作し電子音響効果を生み出すことができ、かつ、ギターストリングおよびトレモロアームから離れるよう手を動かすことなくトレモロアームを制御する。
【００１１】
一の態様において、アームは、中空チューブの形状であり、そして、一本以上のワイヤがポテンショメータから延びて中空チューブを通っている。
【００１２】
一の態様において、トレモロアッセンブリは、さらに、アームの遠端部に取り付けられるケースであって、ポテンショメータが装着されているケースを有する。
【００１３】
一の態様において、トレモロアッセンブリは、さらに、ポテンショメータのシャフトに固定されるノブを有する。ノブは、ケースの周囲に少なくとも部分的に延びるシュラウドを有している。
【００１４】
一の態様において、ケースにはスイッチが配置される。
【００１５】
一の態様において、ポテンショメータにはスイッチが組み込まれている。
【００１６】
一の態様において、アームの近端部は、直線状であり、イナーシャブロックに形成された延設貫通孔内に嵌合されており、そして、延設貫通孔の中心軸はイナーシャブロックの中央面に対して鋭角で配置されている。
【００１７】
一の態様において、鋭角は約１０度である。
【００１８】
一の態様において、拡張切り欠き部が延設貫通孔の内側端部に形成されている。
【００１９】
一の態様において、アームの近端部は、直線状であり、直線状中央部に対して直角に配置されている。
【００２０】
一の態様において、アームがレスト位置にあるとき、アームの直線状中央部はギターの面に対して約１０度の鋭角で配置されている。
【００２１】
一の態様において、アームの遠端部は、直線状であり、直線状中央部に対して上方へ約２０度の鋭角でギターから離れるよう曲がっており、横方向へ前記ストリングに向かって約１５度の鋭角で曲がっている。
【００２２】
一の態様において、トレモロアッセンブリは、さらに、回路に電気的に接続されたワイヤレス受信器と無線通信するためにポテンショメータに電気的に接続されるワイヤレス送信機およびバッテリーを有する。
【００２３】
さらに他の面では、エレキギターによるトレモロ効果および電子音響効果を生じさせる方法を提供する。本方法は、ポテンショメータを配置するステップと、ポテンショメータを電気的に接続するステップと、ギターストリングによって演奏するステップと、ポテンショメータのノブを操作するステップと、を有する。ポテンショメータを配置するステップにおいては、ギターのトレモロアームの遠端部にポテンショメータを配置する。そのポテンショメータはノブが固定されるシャフトを有している。ポテンショメータを電気的に接続するステップにおいては、ギター内の回路にポテンショメータを電気的に接続する。ギターストリングによって演奏するステップにおいては、音符あるいはコードをギターストリングによって演奏する。ポテンショメータのノブを操作するステップにおいては、電子音響効果を生じさせるようギターストリングを弾く手を用いてポテンショメータのノブを操作し、ギターストリングおよびトレモロアームから離れるよう手を動かすことなくトレモロアームを制御する。
【００２４】
一の態様において、本方法は、さらに、スイッチをポテンショメータに組み込むステップと、スイッチを回路に電気的に接続するステップと、ノブを完全に反時計回りに回転させることによってあるいはノブを軸方向に押す／引っ張ることによってスイッチを作動して電子音響効果を生じさせるステップと、を有する。
【００２５】
一の態様において、本方法は、さらに、トレモロアームを操作してトレモロ効果を生じさせるステップを有する。
【００２６】
一の態様において、本方法は、さらに、トレモロアームおよびポテンショメータを同時に操作してトレモロ効果および音響効果を生じさせるステップを有する。
【００２７】
いくつかの実施形態を参照して本願において開示するエレキギターのトレモロ装置を示し説明するが、当業者は本明細書を読んで理解することによって均等物および変形物を思いつくことはあきらかであろう。本願は、そのような均等物や変形物をすべて含むものであって、実用新案請求の範囲によってのみ規定される。
【００２８】
本願に開示するエレキギターのトレモロ装置の具体的な実施形態を添付の図面を参照して例示的に説明する。
【図面の簡単な説明】
【００２９】
【図１】図１は、トレモロアームの概略的平面図である。
【図２】図２は、図１のトレモロアームの概略的断面立面図である。
【図３】図３は、エレキギターのイナーシャブロックおよび／またはトレモロ・ブリッジプレートに取り付けられたトレモロアームの概略的斜視図である。
【図４】図４は、図３のトレモロアームおよびイナーシャブロックの概略的平面図である。
【図５】図５は、図３および図４のトレモロアームおよびイナーシャブロックの概略的立面図である。
【考案を実施するための形態】
【００３０】
本願において開示するエレキギターのトレモロ装置の好ましい実施形態を詳細に説明する。その例示を以下の説明において行う。本願において開示するエレキギターのトレモロ装置の例示的な実施形態を詳細に説明するが、エレキギターのトレモロ装置の理解に特に重要でないいくつかの特徴は簡略化のために示していないことは当業者には明らかであろう。
【００３１】
さらに、本願において開示されるエレキギターのトレモロ装置は、後述する詳細な実施形態に限定されず、添付の実用新案請求の範囲の精神あるいは範囲を逸脱することなく種々の変形および変更を当業者によってなしうることは明らかであろう。例えば、種々の例示的な実施形態のエレメントおよび／または特徴を、本開示および添付の実用新案請求の範囲内で、互いに組み合わせること、および／または互いと置き換えることもできる。
【００３２】
なお、明細書および実用新案の範囲を通じて、一つのエレメントが他のエレメントに「連結される」あるいは「接続される」場合、一つのエレメントは他のエレメントに必ずしも固定し、留める、あるいは取り付けることを意味しない。それよりむしろ、語「連結される」あるいは「接続される」は、あるエレメントが他のエレメントに直接的あるいは間接的に接続される、または他のエレメントとの機械的あるいは電気的な連絡状態にあること、を意味する。
【００３３】
図１に、近端部１０ａと中央部１０ｂと遠端部１０ｃとを有するトレモロアーム１０を概略的に示す。ケース１１を、アーム１０の遠端部１０ｃに取り付けるあるいは形成することもできる。二つ以上のポテンショメータ１５を配置することもできるが、図２に示すように一つのポテンショメータ１５をケース１１内に装着できる。１本以上のワイヤ１７をポテンショメータ１５に取り付けることができる。図示の実施形態では、トレモロアーム１０は、中空チューブの形状である。ワイヤ１７をポテンショメータ１５から延ばして、中空チューブを通すことができる。
【００３４】
アーム１０は、金属あるいは他の適切な材料で形成することができる。ケース１１は成型加工によってプラスチックで形成することができ、あるいは他の適当な材料で形成することもできる。
【００３５】
ポテンショメータ１５からは、シャフトが延びている。ノブ１２を、ネジ１６を用いてポテンショメータ１５のシャフトに取り付けることができる。ノブ１２は、典型的には成型プラスチック材料とすることができる。ノブ１２は、ケース１１の周囲に少なくとも部分的に延びてケース１１の一部をカバーするシュラウド（囲い板）１３を有することができる。典型的には、ノブ１２の１４の部分に刻み目を入れて指のグリップをよくすることができる。
【００３６】
図３および図４に示すように、アーム１０を、トレモロ・ブロックあるいはイナーシャブロック１８に装着することができる。イナーシャブロック１８は、ギターストリング装着孔２０とネジ孔２１との列を有する一般的なものである。イナーシャブロック１８はギターのストリングが配置される面に装着されるトレモロ・ブリッジプレート（図示せず）に取り付けるあるいは一体的に形成することができる。複数のギターストリングを、複数の調整可能なストリング・ホルダーによって定位置にそれぞれ保持することができる。複数のストリング・ホルダーをトレモロ・ブリッジプレートに装着することができる。トレモロ・ブリッジプレートは、トレモロアームを用いて回動可能であり、それにより、ストリングのテンションおよび／または長さを従来と同様に変化させて所望のトレモロ効果を生み出す。
【００３７】
図５に示すように、アーム１０の近端部１０ａは、直線状であり、イナーシャブロック１８に形成された延設貫通孔１９に嵌合されている。延設貫通孔１９の中心軸は、イナーシャブロック１８の中央長手面に対して鋭角で配置されている。その鋭角αは約１０度とできる。アーム１０の近端部１０ａのこの角度配置により、アーム１０がギターの底端部へと揺動することを防止することができ、それにより、アーム１０を手が届きやすい位置に保持することができる。近端部１０ａを、摩擦によって貫通孔１９内に保持することができる、あるいは従来の差し込み機構によって定位置に保持することができる。アーム１０の近端部１０ａの角度配置により、また、アーム１０が貫通孔１９から思いがけず外れることを防止することができる。さらに、アーム１０の近端部１０ａの角度配置により、貫通孔１９の下端部から延びるワイヤ１７が、ギターおよびそしてギター内のアンプ回路に向かってスムーズに曲がることができる。拡張切り欠き部２２を貫通孔１９の内側端部に形成でき、これにより、ワイヤ１７をギター内にスムーズに配線しやすくなる。拡張切り欠き部２２は、また、ギター演奏の際にイナーシャブロック１８の内側端部が絶えず左右に揺れるとき、ギター内でワイヤ１７が貫通孔１９の内側端部で自由に撓むためのスペースを提供する。これにより、ギター内でワイヤ１７がダメージを受ける可能性を低減できる。
【００３８】
ポテンショメータ１５は、ノブ１２を完全に反時計回りに回転させることによって、またはノブを軸方向に押す／引っ張ることによって、作動する一体的なスイッチを有することができる。追加的なスイッチをケース１１で配置することもできる。これらのスイッチを、回路に電気的に接続することができ、ボリュームやトーンを制御するようあるいは他の音響効果を生み出すよう用いることができる。
【００３９】
アーム１０の近端部１０ａを、アーム１０の直線状中央部１０ｂに対して直角に配置することができる。
【００４０】
アーム１０の直線状中央部１０ｂを、アーム１０がレスト位置にあるとき、ギターの面に対して約１０度の鋭角βで配置することができる。アーム１０がギターの面に向かって押されるとき、アームの直線状中央部１０ｂはギターストリングと隣接してかつ平行に配置される。
【００４１】
アーム１０の遠端部１０ｃを、直線状とすることができ、そして、アーム１０の直線状中央部１０ｂに対して上方へ約２０度の鋭角θでギターの面から離れるよう曲げることができ、横方向へギターストリングに向かって約１５度の鋭角γで曲げることができる。
【００４２】
使用時には、トレモロアーム１０を従来と同様に操作することができる。演奏者は、音符あるいはコードをギターストリングによって演奏することができ、そして、ギターストリングを弾く手を用いることによってポテンショメータ１５のノブ１２を操作し電子音響効果を生み出すことができ、かつ、ギターストリングおよびトレモロアーム１０から離れるよう手を動かすことなくトレモロアーム１０を制御することができる。演奏者は、ノブ１２を回転させる、押す、あるいは引っ張ることによって、スイッチを作動させ、音響効果を生み出すことができる。さらに、演奏者は、トレモロアーム１０を操作してトレモロ効果を生み出すことができる。演奏者は、また、トレモロアーム１０およびポテンショメータのノブ１２を同時に操作してトレモロ効果および電子音響効果を生み出すこともできる。
【００４３】
当業者にはあきらかである変形あるいは変更も保護の範囲から外れないものと見なすことは理解されよう。例えば、中空チューブ状アーム１０を配置する代わりに、ケース１１に、ポテンショメータおよび／またはスイッチに関連するバッテリーおよびワイヤレス送信機を取り付けることができる。上述の実施形態は、トレモロアーム１０がイナーシャブロック１８に直接取り付けられているフェンダー（Ｆｅｎｄｅｒ）タイプ・ギターに適用したが、本装置を、トレモロアームがトレモロ・ブリッジプレートに固定されるフロイドローズ（Ｆｌｏｙｄ  Ｒｏｓｅ）タイプなど他のタイプのギターに同じく適用できる。
【００４４】
本願において開示されるエレキギターのトレモロ装置をいくつかの好ましい実施形態を特に参照して示し、説明したが、添付の実用新案請求の範囲から逸脱することなく種々の変形および変更を行うことができることを述べておく。
【符号の説明】
【００４５】
１０  アーム
１０ａ  近端部
１０ｂ  直線状中央部
１０ｃ  遠端部
１１  ケース
１２  ノブ
１３  シュラウド（囲い板）
１５  ポテンショメータ
１６  ネジ
１７  ワイヤ
１８  イナーシャブロック
１９  貫通孔
２０  ギターストリング装着孔
２１  ネジ孔
２２  拡張切り欠き部
【図１】
0003164638.tif 000003
【図２】
0003164638.tif 000004
【図３】
0003164638.tif 000005
【図４】
0003164638.tif 000006
【図５】
0003164638.tif 000007